【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
複数の伝送レートを使用して通信機同士でデータ伝送を行なう無線通信システムであって、
各通信機は、使用する伝送レートに応じて、少なくとも一部の回路モジュールの動作クロック周波数並びに当該回路モジュールの電源電圧を制御する、
を特徴とする無線通信システム。
【請求項２】
所定の無線通信環境下で、複数の伝送レートを使用してデータ伝送を行なう無線通信装置であって、
無線伝送路を介したデータ送受信を行なう通信部と、
前記通信部において使用する伝送レートを決定する伝送レート制御手段と、
前記伝送レート制御手段により決定した伝送レートに応じて、前記通信部における少なくとも一部の回路モジュールの動作クロック周波数を制御するクロック制御手段と、
前記動作クロック周波数に応じて当該回路モジュールに供給する電源電圧を制御する電源制御手段と、
を具備することを特徴とする無線通信装置。
【請求項３】
前記通信部は、無線信号の送受信処理を行なう無線部と、アナログ変換前の送信信号及びディジタル変換後の受信信号を処理するディジタル信号処理部を備え、
前記クロック制御手段は、前記伝送レート制御手段により決定した伝送レートに応じて、前記ディジタル信号処理部内の少なくとも一部の回路モジュールにおける動作クロック周波数を制御し、
前記電源制御手段は、前記動作クロック周波数に応じて、前記ディジタル信号処理部の少なくとも一部の回路モジュールの電源電圧を制御する、
ことを特徴とする請求項２に記載の無線通信装置。
【請求項４】
前記ディジタル信号処理部は、送受信信号を変復調する変復調部を備え、
前記電源制御手段は、前記動作クロック周波数の変化に拘らず、前記変復調部への電源電圧を一定にする、
ことを特徴とする請求項３に記載の無線通信装置。
【請求項５】
電源電圧を供給するバッテリを備え、
前記伝送レート制御手段は、前記バッテリの残存容量に応じて使用する伝送レートを決定する、
ことを特徴とする請求項２に記載の無線通信装置。
【請求項６】
前記通信部によってデータ伝送を行なう通信相手において使用する伝送レートを検出するレート検出手段を備え、
前記クロック制御手段及び前記電源電圧制御手段は、前記レート検出手段による検出結果に応じて前記回路モジュールの動作クロック周波数並びに当該回路モジュールの電源電圧をそれぞれ制御する、
ことを特徴とする請求項２に記載の無線通信装置。
【請求項７】
前記無線通信環境下では、伝送フレームのプリアンブル及びヘッダ部の伝送レートを固定にして伝送され、
前記レート検出手段は、受信フレームのうちプリアンブル及びヘッダ部を該固定の伝送レートに対応した動作クロック周波数により検出し、
前記クロック制御手段及び前記電源制御手段はプリアンブル及びヘッダ部の記載に基づいて、ヘッダ部以降における伝送レートを検出し、検出結果に応じて前記回路モジュールの動作クロック周波数並びに当該回路モジュールの電源電圧を制御する、
ことを特徴とする請求項６に記載の無線通信装置。
【請求項８】
前記無線通信環境下では、伝送レート毎に変調方式が設定されており、動作クロック周波数に比例したシンボル・レートでデータ伝送が行なわれ、
前記ディジタル信号処理部は、それぞれのシンボル・レートで受信信号を並列的に検出する複数の変復調部を備え、復調後の信号を処理する回路モジュールを復調できたシンボル・レートに対応した動作クロック周波数並びに当該回路モジュールの電源電圧に設定する、
ことを特徴とする請求項３に記載の無線通信装置。
【請求項９】
前記無線通信環境下では、伝送フレームのプリアンブル及びヘッダ部のシンボル・レートを固定にして伝送され、
前記ディジタル信号処理部は、受信フレームのうちプリアンブル及びヘッダ部を該固定のシンボル・レートに対応した動作クロック周波数により検出し、
前記伝送レート制御手段は、該検出したプリアンブル及びヘッダ部の記載に基づいてヘッダ部以降におけるシンボル・レートを識別し、
前記クロック制御手段及び前記電源制御手段は、該識別結果に応じて前記回路モジュールの動作クロック周波数並びに当該回路モジュールの電源電圧を制御する、
ことを特徴とする請求項８に記載の無線通信装置。
【請求項１０】
前記無線通信環境下では、通信機はさらに２次変調を適用し、シンボル・レートと同時に２次変調レートを可変にする、
ことを特徴とする請求項３に記載の無線通信装置。
【請求項１１】
前記無線通信環境下では、シンボル・レート毎に２次変調方式が設定されており、
前記ディジタル信号処理部は、それぞれの２次変調レートで受信信号を復調する複数の変復調部を並列的に備え、復調後の信号を処理する回路モジュールを復調できた２次変調レートに対応した動作クロック周波数並びに当該回路モジュールの電源電圧に設定する、
ことを特徴とする請求項１０に記載の無線通信装置。
【請求項１２】
前記無線通信環境下では、伝送フレームのプリアンブル及びヘッダ部のシンボル・レート及び２次変調レートを固定にして伝送され、
前記ディジタル信号処理部は、受信フレームのうちプリアンブル及びヘッダ部を該固定のシンボル・レート及び２次変調レートに対応した動作クロック周波数により検出し、
前記伝送レート制御手段は、該検出したプリアンブル及びヘッダ部の記載に基づいてヘッダ部以降におけるシンボル・レート及び２次変調レートを識別し、
前記クロック制御手段及び前記電源制御手段は、該識別結果に応じて前記回路モジュールの動作クロック周波数並びに当該回路モジュールの電源電圧を制御する、
ことを特徴とする請求項１０に記載の無線通信装置。
【請求項１３】
前記伝送レート制御手段は、伝送レートを切り替えたときに、次の伝送レートの持続時間が前記電源制御手段により前記回路モジュールに供給する電源電圧が遷移するのに要する時間以上であることを保証する、
ことを特徴とする請求項２に記載の無線通信装置。
【請求項１４】
前記伝送レート制御手段は、伝送レートを上げるときに、前記電源制御手段により前記回路モジュールに供給する電源電圧が遷移するのに要する時間以上のインターバルを設定し、
前記クロック制御手段は、該インターバルの期間は元の伝送レートで動作するように前記回路モジュールへ動作クロック周波数を供給し、該インターバルの経過後に次の伝送レートに応じた動作クロック周波数に上げる、
ことを特徴とする請求項２に記載の無線通信装置。
【請求項１５】
前記クロック制御手段及び前記電源制御手段は、前記伝送レート制御手段により決定される２次変調レートに拘らず、前記通信部内の２次変復調部の動作クロック周波数及び電源電圧を一定にする、
ことを特徴とする請求項２に記載の無線通信装置。
【請求項１６】
所定の無線通信環境下で複数の伝送レートを使用可能な通信回路を用いてデータ伝送を行なう無線通信方法であって、
無線伝送路を介したデータ送受信において使用する伝送レートを決定する伝送レート制御ステップと、
前記伝送レート制御ステップにおいて決定した伝送レートに応じて、前記通信回路における少なくとも一部の回路モジュールの動作クロック周波数を制御するクロック制御ステップと、
前記動作クロック周波数に応じて当該回路モジュールに供給する電源電圧を制御する電源制御ステップと、
を具備することを特徴とする無線通信方法。
【請求項１７】
所定の無線通信環境下で複数の伝送レートを使用可能な通信回路を用いてデータ伝送を行なうための処理をコンピュータ上で実行するようにコンピュータ可読形式で記述されたコンピュータ・プログラムであって、前記コンピュータに対し、
無線伝送路を介したデータ送受信において使用する伝送レートを決定する伝送レート制御手順と、
前記伝送レート制御ステップにおいて決定した伝送レートに応じて、前記通信回路における少なくとも一部の回路モジュールの動作クロック周波数を制御するクロック制御手順と、
前記動作クロック周波数に応じて当該回路モジュールに供給する電源電圧を制御する電源制御手順と、
を実行させることを特徴とするコンピュータ・プログラム。
【手続補正２】
【補正対象書類名】明細書
【補正対象項目名】０１０９
【補正方法】変更
【補正の内容】
【０１０９】
逆に、シンボル・レートを上げる場合、すなわち電源電圧及びクロック周波数を上げる場合には、電源電圧が追従できる時間分は電源電圧が移行するためのインターバルを設定するようにし、データ伝送開始を遅らせるか、あるいは、電源電圧が追従できる時間分は移行中を示すフラグをヘッダに設定するようにする。例えば、図８に示すように、そのインターバルの間は元のシンボル・レートで伝送し、電源電圧が追従できる時間分が経過したところでフラグを解除してクロック周波数を上げるようにすればよい。